(57)【要約】【課題】取付物を支持するための基礎として機能させることができる強度を確保でき、重量が軽く、容易に施工でき、工期短縮、低コスト化が可能な構成を具備するあと施工アンカーの提供。【解決手段】コンクリートスラブ１に定着固定される定着用アンカー２０と、定着用アンカー２０後端の雄ねじ部２２に螺着してコンクリート母材上面１ａに当接される底板部３１を有する有底筒状の筒状胴体部品３０と、筒状胴体部品３０の底板部３１から延出する筒状部３２の外側に螺着して下地５表面に当接される円錐筒状の防水ベース部材４０と、筒状胴体部品３０の外側に螺着することで筒状胴体部品３０の開口端を覆う螺着カバー本体５１に取付物を取り付けるためのボルト部５２が突設されているボルト部付きカバー５０とを具備する基礎用あと施工アンカー１０を提供する。【選択図】図１
2011084913.tif 000002
【特許請求の範囲】
【請求項１】
コンクリート母材あるいは該コンクリート母材の表面に断熱材層及び／又は防水層を含む外側層が設けられた構成の外側層付きコンクリート母材である下地に設けられる取付物を支持するための基礎として用いることができる基礎用あと施工アンカーであって、
前記コンクリート母材に穿設された下穴に挿入して定着される定着部を有する定着用アンカーと、
この定着用アンカーの先端側の前記定着部とは反対の後端側に設けられた雄ねじ部に螺着して前記コンクリート母材表面に当接される底板部を有する有底筒状の筒状胴体部品と、
円錐筒状の部材であり、前記筒状胴体部品の前記底板部から延出する筒状部の外周に形成された外ねじ部に螺着してその外周部を前記下地の表面に当接させて配置され、前記外周部の周囲に位置する下地表面を覆う防水層が延在するように設けられる防水ベース部材と、
前記筒状胴体部品の前記外ねじ部に螺着される円筒状側壁部の軸線方向片端が天板部によって塞がれた有底円筒状に形成され前記筒状胴体部品に螺着することで前記筒状胴体部品の底板部とは反対側の開口端を覆う螺着カバー本体を有し該螺着カバー本体の前記天板部に前記取付物を取り付けるためのボルト部が突設されているボルト部付きカバーとを具備し、
前記ボルト部付きカバーの前記円筒状側壁部の前記天板部とは反対側の開口部付近が、その内側に前記防水ベース部材の前記外周部とは反対側の端部である先端部を収納して前記防水ベース部材の外周面に形成された前記防水層の端部を覆うための防水層カバー部とされていることを特徴とする基礎用あと施工アンカー。
【請求項２】
前記ボルト部付きカバーの前記円筒状側壁部の内周には、前記防水層カバー部よりも前記天板部側に、前記筒状胴体部品の前記外ねじ部に螺合される内ねじ部が形成され、
前記防水層カバー部はその内周側を、前記内ねじ部内径よりも大きく拡張した構成とされていることを特徴とする請求項１記載の基礎用あと施工アンカー。
【請求項３】
前記ボルト部付きカバーは前記円筒状側壁部の内周側に、前記筒状胴体部品に螺着した該ボルト部付きカバーのねじ込みによって前記筒状胴体部品に予め螺着された前記防水ベース部材の前記先端部の端面に当接される防水ベース当接面を有し、前記ボルト部付きカバーの前記円筒状側壁部の前記防水ベース当接面から前記開口部側の部分が前記防水層カバー部とされていることを特徴とする請求項１又は２記載の基礎用あと施工アンカー。
【請求項４】
前記ボルト部付きカバーの前記開口部付近に、前記筒状胴体部品に螺着した前記ボルト部付きカバーの前記防水層カバー部の内側に前記筒状胴体部品に螺着された前記防水ベース部材の先端部を収納したときに前記防水ベース部材の外周面に設けられた防水層に押し付けられて前記防水層カバー部と前記防水層との間を塞ぐ圧縮性のクッションリングが取り付けられていることを特徴とする請求項１〜３のいずれかに記載の基礎用あと施工アンカー。
【請求項５】
さらに、前記定着用アンカーの雄ねじ部の、該雄ねじ部に螺着された前記筒状胴体部品の底板部を介して前記定着部とは反対側に突出された部分に螺着されるナットを具備することを特徴とする請求項１〜４のいずれかに記載の基礎用あと施工アンカー。
【請求項６】
前記筒状胴体部品は、前記底板部が、該底板部から延出する筒状部の外側に張り出すように突出されたフランジ部を有することを特徴とする請求項１〜５のいずれかに記載の基礎用あと施工アンカー。
【請求項７】
前記筒状胴体部品は、前記定着用アンカーの雄ねじ部に螺着するための雌ねじ孔が貫設され前記底板部として機能するベース部材と、このベース部材に形成された外ねじ部に螺着して前記ベース部材に取り付けることで前記筒状部として機能する筒部材とを具備して構成されていることを特徴とする請求項１〜６のいずれかに記載の基礎用あと施工アンカー。
【発明の詳細な説明】
【技術分野】
【０００１】
本発明は、あと施工アンカーに係り、コンクリート母材に定着状態にて高い剪断強度を確保することができ、太陽光発電パネル等の比較的大型の設置物をコンクリート母材に固定するための基礎として用いることが可能な基礎用あと施工アンカーに関する。
【背景技術】
【０００２】
例えば図８に示すように、ビル等のコンクリート造の建物屋上に太陽光発電パネル、太陽熱温水器等の比較的大型の設置物１００を設置する場合、屋上のコンクリートスラブ１１０上に例えばキュービック状、円錐台状等に形成されたコンクリート製ブロック１２１にアンカー１３０が植設された構成の基礎１２０（以下、基礎ブロックとも言う）を複数設け、前記アンカー１３０の前記コンクリートブロック１２１上に突出させた部分（棒状の突出ねじ部１３１）に、例えば支持フレーム１４０等の取り付けベースを介して設置物１００を固定することが広く行われている。
【０００３】
図示例の設置物１００は架台１０１上にパネル状の機器本体１０２を固定した構造であり、前記アンカー１３０の突出ねじ部１３１にナット１３２を用いて締結固定された前記支持フレーム１４０上にボルト締結等によって固定して、前記支持フレーム１４０を介して複数の基礎ブロック１２０上に支持されている。また、支持フレーム１４０等の取り付けベースを省略して、架台１０１をアンカー１３０の突出ねじ部１３１に直接締結固定する固定構造が採られることもある。
【０００４】
前記基礎ブロック１２０をコンクリートスラブ１１０上に設置する工法としては、概ね、工場等にて作製したものを現場に搬入、設置する工法（以下、置き基礎工法とも言う）、あるいは現場にて配筋、型枠設置、コンクリート打設、脱型、養生を行って作製する工法（以下、現場構築工法とも言う）の２通りである。
前記アンカー１３０は、基礎ブロック１２０のコンクリート中に定着固定される部分である定着部１３３を、基礎ブロック１２０の作製工程にて配筋によって組み立てた鉄筋かごに溶接等によって固定した後、打設コンクリート中に前記定着部１３３を埋設固定するか、コンクリートブロック１２１を作製した後にあと施工にて固定してコンクリートブロック１２１に一体的に設けられる。
【０００５】
基礎ブロック１２０にあと施工によって固定するアンカー１３０（あと施工アンカー）としては、例えば金属拡張アンカー等も使用可能であるが、接着系アンカーが多く用いられている。
なお、キュービック状、円錐台状等に形成された基礎ブロックを用いて設置物の架台を支持する技術としては例えば特許文献１記載のもの等がある。
【先行技術文献】
【特許文献】
【０００６】
【特許文献１】特開平０９−１４５０９９号公報
【発明の概要】
【発明が解決しようとする課題】
【０００７】
しかしながら、上述のように建物屋上に設けた基礎ブロック上に設置物を固定する構造では、基礎ブロックの重量が大きいため建物躯体に与える負荷が大きく、建物に補強を施す必要が生じたり、場合によっては基礎ブロックを設置できないケースも発生する。
また、置き基礎工法では基礎ブロックの搬送、設置に要する労力が多大であり、一方、現場構築工法では配筋、型枠の組み立てが現場作業となるため工場作製に比べて作業性が悪く、設置物の設置完了までの工事日数の増大、コストの増大を招くといった問題があった。
【０００８】
また、置き基礎工法、現場構築工法のいずれでも、コンクリートスラブ上に既設の防水層が存在する場合、基礎ブロックとその周囲の既存防水層との間の防水処理等に手間が掛かるといった問題もある。
図８に例示するように、コンクリートスラブ１１０上に断熱材層１１１と該断熱材層１１１を覆う防水層１１２とからなる断熱防水層１１３が存在する場合、前記断熱防水層１１３にコンクリートスラブ１１０に達する基礎設置用穴部１１４を形成し、この基礎設置用穴部１１４内に工場等にて作製済みあるいは現場作製した基礎ブロック１２０を設ける基礎設置工事を行い、この基礎ブロック１２０のコンクリートブロック１２１の断熱防水層１１３から突出した部分の外面全体を覆う防水層１１５を基礎設置用穴部１１４の周囲の断熱防水層１１３上にも延在するように形成する工法が採用される。
しかしながら、断熱防水層１１３に基礎ブロック１２０外周に応じて比較的サイズの大きい穴（基礎設置用穴部１１４）を形成する必要があり、この基礎設置用穴部１１４の形成に手間が掛かる。置き基礎工法の場合は、基礎設置用穴部１１４内に設置した基礎ブロック１２０外周とその周囲の既存防水層１１２との間に隙間が生じやすいため、この隙間の防水処理に該隙間を塞ぐ部材（Ｌ字板等）の取り付け等の前工程を要する。また、現場構築工法では、基礎設置用穴部１１４内に型枠を設置してコンクリートを打設する工法が多く採用されるが、この場合、型枠の撤去に伴う前記隙間の発生が回避できないため、隙間の防水処理の労力軽減が困難である。
【０００９】
本発明は、前記課題に鑑みて、取付物を支持するための基礎として機能させることができる強度を確保でき、施工のために既存防水層に形成した穴及びその周囲の防水処理を簡単に行え、しかも重量が軽く、容易に施工でき、工期短縮、低コスト化が可能な基礎用あと施工アンカーの提供を目的としている。
【課題を解決するための手段】
【００１０】
上記課題を解決するために、本発明では以下の構成を提供する。
第１の発明は、コンクリート母材あるいは該コンクリート母材の表面に断熱材層及び／又は防水層を含む外側層が設けられた構成の外側層付きコンクリート母材である下地に設けられる取付物を支持するための基礎として用いることができる基礎用あと施工アンカーであって、前記コンクリート母材に穿設された下穴に挿入して定着される定着部を有する定着用アンカーと、この定着用アンカーの先端側の前記定着部とは反対の後端側に設けられた雄ねじ部に螺着して前記コンクリート母材表面に当接される底板部を有する有底筒状の筒状胴体部品と、円錐筒状の部材であり、前記筒状胴体部品の前記底板部から延出する筒状部の外周に形成された外ねじ部に螺着してその外周部を前記下地の表面に当接させて配置され、前記外周部の周囲に位置する下地表面を覆う防水層が延在するように設けられる防水ベース部材と、前記筒状胴体部品の前記外ねじ部に螺着される円筒状側壁部の軸線方向片端が天板部によって塞がれた有底円筒状に形成され前記筒状胴体部品に螺着することで前記筒状胴体部品の底板部とは反対側の開口端を覆う螺着カバー本体を有し該螺着カバー本体の前記天板部に前記取付物を取り付けるためのボルト部が突設されているボルト部付きカバーとを具備し、前記ボルト部付きカバーの前記円筒状側壁部の前記天板部とは反対側の開口部付近が、その内側に前記防水ベース部材の前記外周部とは反対側の端部である先端部を収納して前記防水ベース部材の外周面に形成された前記防水層の端部を覆うための防水層カバー部とされていることを特徴とする基礎用あと施工アンカー提供する。
第２の発明は、前記ボルト部付きカバーの前記円筒状側壁部の内周には、前記防水層カバー部よりも前記天板部側に、前記筒状胴体部品の前記外ねじ部に螺合される内ねじ部が形成され、前記防水層カバー部はその内周側を、前記内ねじ部内径よりも大きく拡張した構成とされていることを特徴とする第１の発明の基礎用あと施工アンカー提供する。
第３の発明は、前記ボルト部付きカバーは前記円筒状側壁部の内周側に、前記筒状胴体部品に螺着した該ボルト部付きカバーのねじ込みによって前記筒状胴体部品に予め螺着された前記防水ベース部材の前記先端部の端面に当接される防水ベース当接面を有し、前記ボルト部付きカバーの前記円筒状側壁部の前記防水ベース当接面から前記開口部側の部分が前記防水層カバー部とされていることを特徴とする第１又は２の発明の基礎用あと施工アンカー提供する。
第４の発明は、前記ボルト部付きカバーの前記開口部付近に、前記筒状胴体部品に螺着した前記ボルト部付きカバーの前記防水層カバー部の内側に前記筒状胴体部品に螺着された前記防水ベース部材の先端部を収納したときに前記防水ベース部材の外周面に設けられた防水層に押し付けられて前記防水層カバー部と前記防水層との間を塞ぐ圧縮性のクッションリングが取り付けられていることを特徴とする第１〜３のいずれかの発明の基礎用あと施工アンカー提供する。
第５の発明は、さらに、前記定着用アンカーの雄ねじ部の、該雄ねじ部に螺着された前記筒状胴体部品の底板部を介して前記定着部とは反対側に突出された部分に螺着されるナットを具備することを特徴とする第１〜４のいずれかの発明の基礎用あと施工アンカー提供する。
第６の発明は、前記筒状胴体部品は、前記底板部が、該底板部から延出する筒状部の外側に張り出すように突出されたフランジ部を有することを特徴とする第１〜５のいずれかの発明の基礎用あと施工アンカー提供する。
第７の発明は、前記筒状胴体部品は、前記定着用アンカーの雄ねじ部に螺着するための雌ねじ孔が貫設され前記底板部として機能するベース部材と、このベース部材に形成された外ねじ部に螺着して前記ベース部材に取り付けることで前記筒状部として機能する筒部材とを具備して構成されていることを特徴とする第１〜６のいずれかの発明の基礎用あと施工アンカーを提供する。
【発明の効果】
【００１１】
本発明によれば、定着用アンカーをコンクリート母材に定着させ、この定着用アンカーの雄ねじ部に螺着された状態でコンクリート母材表面に当接させて設けられた筒状胴体部品の外側に防水ベース部材を螺着して該防水ベース部材の外周部を下地に当接させた後、前記筒状胴体部品の外側にボルト部付きカバーを螺着するだけで、筒状胴体部品とボルト部付きカバー（詳細には、その螺着カバー本体）とからなる基礎部を簡単に組み立てることができる。このため、高い施工作業性を確保できるとともに、工期短縮を図ることができる。
前記基礎部は中空構造であり、従来のコンクリート製の基礎ブロックに比べて大幅な軽量化を容易に実現でき、しかも、低コスト化も容易に実現できる。また、前記基礎部は、筒状胴体部品の軸線方向両端が塞がった両端有底筒状に構成されることで、高い強度を容易に確保できる。
【００１２】
また、この基礎用あと施工アンカーによれば、基礎部に突設されているボルト部に取り付けられた取付物から作用した剪断方向の荷重（剪断荷重）がボルト部付きカバーから筒状胴体部品に伝達される構成であり、前記剪断荷重により定着用アンカーのコンクリート母材から外側に突出させた部分（突出部）に作用する回転モーメント、すなわち、コンクリート母材に定着させた定着用アンカーのコンクリート母材内に埋め込まれた部分（埋め込み部）と前記突出部との境界付近を中心とする回転方向に作用する荷重を筒状胴体部品の底板部と定着用アンカーとが分散負担して抵抗力を発揮する。このため、例えば定着用アンカーの突出部に与えられた前記剪断荷重が基礎部のボルト部からボルト部付きカバーや筒状胴体部品を介することなく直接作用する構成に比べて、高い剪断強度（剪断耐力）が得られる。
また、定着用アンカーがコンクリート母材に定着固定されることで、コンクリート母材に対する引き抜き強度を確保でき、コンクリート母材表面に沿う方向の位置ずれを防止できることも言うまでも無い。
【００１３】
さらに、この基礎用あと施工アンカーによれば、防水ベース部材の外周部の周囲に位置する下地表面を覆う防水層を前記下地表面から前記防水ベース部材の外周面に延在するように形成することで、防水ベース部材とその周囲に位置する前記下地表面との間の境界の防水処理を簡単に短時間で効率良く行える。
また、筒状胴体部品にボルト部付きカバーを螺着して基礎部を組み立てることで、防水ベース部材の外周部の周囲に位置する下地表面から前記防水ベース部材の外周面に延在するように形成した防水層の端部を、ボルト部付きカバーの開口部側の防水層カバー部によって覆うことができ、前記防水層の端部から前記防水層と前記防水ベース部材との間への浸水を防ぐことができる。
【図面の簡単な説明】
【００１４】
【図１】本発明に係る１実施形態の基礎用あと施工アンカーを説明する図であって、コンクリートスラブに外側層として断熱防水層が設けられた構成の下地に固定施工した状態を示す断面図（半断面図）である。
【図２】図１の基礎用あと施工アンカーを下地に固定施工する方法を説明する図であって、下地の断熱防水層に形成した施工用穴部の穴底のコンクリートスラブに定着用アンカー先端側の定着部を固着させ、該定着用アンカー後端側の雄ねじ部に螺着した筒状胴体部品を施工用穴部の穴底のコンクリートスラブ上面に立設状態に固定した状態を示す。
【図３】図２の筒状胴体部品の筒状部の断熱防水層よりも上方に突出した部分に防水ベース部材を螺着し、その外周部を下地表面（断熱防水層表面）に当接させた状態を示す図である。
【図４】本発明に係る１実施形態の基礎用あと施工アンカーを、コンクリートスラブ上に断熱材層のみからなる外側層を設けた構成の下地に施工した例を示す図である。
【図５】本発明に係る１実施形態の基礎用あと施工アンカーを、外側層が設けられていないコンクリートスラブに施工した例を示す図である。
【図６】本発明に係る基礎用あと施工アンカーの筒状胴体部品として、定着用アンカーの雄ねじ部に螺着されるベース部材と、このベース部材に形成された外ねじ部に螺着してベース部材に取り付けられる筒部材とからなる構成のものを用いた態様を示す図である。
【図７】建物屋上のコンクリートスラブ（コンクリート母材）に複数固定施工した基礎用あと施工アンカーを利用して、パネル状の機器本体を具備する設置物（取付物）をコンクリートスラブに固定設置してなる設置物固定構造の一例を示す全体図である。
【図８】コンクリート製基礎ブロックを用いて設置物（取付物）を建物屋上に設置する設置構造の一例を説明する全体図である。
【発明を実施するための形態】
【００１５】
以下、本発明の１実施形態の基礎用あと施工アンカーについて、図面を参照して説明する。
なお、図１〜図７において、図中、上側を上、下側を下として説明する。
【００１６】
図７に示すように、この基礎用あと施工アンカー１０（以下、単に基礎用アンカーとも言う）は、コンクリート構造物に固定施工して、コンクリート構造物への設置物２（取付物）の固定に用いられるものである。
この基礎用アンカー１０は、建物の屋上コンクリート等のコンクリート母材自体あるいはスラブ状のコンクリート下地１（コンクリート母材、以下、コンクリートスラブとも言う）上に断熱材層及び／又は防水層を含む外側層４が設けられた構成の下地５（外側層付きコンクリート母材）に固定施工することで、下地５に対する設置物２の支持に好適に用いることができる。図１〜図３に例示した下地５は、コンクリートスラブ１上に断熱材層４ａと該断熱材層４ａを覆う防水層４ｂとを有する構成の外側層４（断熱防水層）が設けられてなる外側層付きコンクリート母材（断熱防水層付きコンクリート躯体）である。以下、この外側層を断熱防水層とも言う。
図７は、前記下地５に固定施工した複数の基礎用アンカー１０を利用して下地５に設置物２の固定した固定構造（設置物固定構造）を例示する。
【００１７】
また、図４に例示した下地５Ａはコンクリートスラブ１上に断熱材層４ａを設けたもの（断熱材層４ａを覆う防水層は設けていない）、図５は外側層４が設けられていないコンクリートスラブ１自体が下地である例を示す。
【００１８】
なお、各図に例示したコンクリートスラブ１はコンクリート造建物の陸屋根を構成するコンクリートスラブ（屋上スラブ）を例示するが、下地としては陸屋根に限定されず例えばバルコニー床、道や道路の高架橋等の各種橋梁の床版などであっても良い。
【００１９】
まず、図１〜図３等を参照して、前記基礎用アンカー１０について説明する。
図１等に示すように、ここで説明する基礎用アンカー１０は、定着用アンカー２０と、定着用アンカー２０の雄ねじ部２２に螺着される底板部３１を有する有底筒状の筒状胴体部品３０と、前記筒状胴体部品３０の前記底板部３１から延出する筒状部３２の外周に形成された外ねじ部３３によって前記筒状部３２の外側に螺着して取り付けられる円錐筒状の部材である防水ベース部材４０と、前記筒状胴体部品３０の外側に螺着することで前記筒状胴体部品３０の前記筒状部３２の前記底板部３１とは反対側の開口端を覆う有底円筒状の螺着カバー本体５１に設置物２を取り付けるためのボルト部５２が突設された構成のボルト部付きカバー５０とを具備して構成されている。
【００２０】
図１において、前記基礎用アンカー１０は、下地５の断熱防水層４に形成した施工用穴部４ｄの穴底に露出するコンクリートスラブ１に定着用アンカー２０の定着部２１を固着させ、この定着用アンカー２０のコンクリートスラブ１から突出させた雄ねじ部２２に螺着状態の筒状胴体部品３０の底板部３１を前記施工用穴部４ｄ内にてコンクリートスラブ上面１ａに当接させて配置し、この筒状胴体部品３０の底板部３１から立設状態の筒状部３２外周の外ねじ部３３に防水ベース部材４０を螺着してその外周部４１を前記施工用穴部４ｄの開口部の周囲に位置する断熱防水層４の表面（コンクリートスラブ１とは反対側の面。下地５表面）に当接させ、さらに、前記筒状部３２の開口端側からねじ込むようにして前記筒状部３２に螺着した前記ボルト部付きカバー５０を前記防水ベース部材４０の前記外周部４１とは反対側の端部である先端部４２に当接させて締め付け固定して施工（組み立て）されている。
また、図示例の基礎用アンカー１０にあっては、定着用アンカー２０の前記雄ねじ部２２の、筒状胴体部品３０の底板部３１から筒状部３２内に突出させた部分に螺着したナット２６を締め付けて前記底板部３１に固定している。前記ナット２６と底板部３１との間には前記雄ねじ部２２に外挿したワッシャ２７を介挿している。
【００２１】
図示例の定着用アンカー２０は金属拡張アンカーであり、具体的には、芯棒打ち込み式アンカーを例示している。
前記金属拡張アンカーは、スリーブ状本体の先端部（軸線方向片端）に、例えば芯棒の打ち込み、内部コーンの打ち込み、コーンの引き上げ等によって拡張される拡張部を備えるものである。この拡張部が前記定着部２１として機能する。以下、定着部２１が拡張部を指す場合、拡張部と称して説明する場合がある。
図２に示すように、図示例の芯棒打ち込み式アンカーの定着部２１は、スリーブ状本体２３内側の内孔２３ａへの芯棒２４の打ち込みによって拡張される拡張部である。
【００２２】
但し、定着用アンカー２０として採用可能な金属拡張アンカーとしては芯棒打ち込み式アンカーに限定されず、例えば、コーン引き上げ式アンカー、ウェッジ式アンカー、本体打ち込み式アンカー等、周知のものを採用できる。
また、本発明に係る定着用アンカー２０としては、金属拡張アンカーに限定されず接着系アンカーであっても良い。
但し、工期短縮の点では、金属拡張アンカーを採用することがより好ましい。
【００２３】
定着用アンカー２０としては、定着部２１とは反対の後端側に雄ねじ部２２が設けられた構成のものを採用する。また、この定着用アンカー２０は、コンクリートスラブ１に固着したときに雄ねじ部２２の一部又は全部（図示例では全部）がコンクリートスラブ１の上面１ａから突出するように施工される。
【００２４】
金属拡張アンカーの前記雄ねじ部２２としては、拡張部が形成されたスリーブ状本体の後端部にねじ山を形成したものに限定されない。例えば、拡張部の拡張によってコンクリート母材（ここではコンクリートスラブ）に定着固定した本体打ち込み式アンカーのスリーブ状本体にねじ込んで固定したボルト等、コンクリート母材に対する固定後にスリーブ状本体に螺着して設けられるものであっても良い。
【００２５】
図２等に示すように、図示例の基礎用アンカー１０の筒状胴体部品３０は金属製一体成形品であり、筒状部３２の軸線方向一端側に底板部３１を有し、他端側が開口端とされた有底円筒状に形成されている。
また、この筒状胴体部品３０は、前記底板部３１が、前記筒状部３２から外側に張り出すように突出されたフランジ部３４を有している。
前記底板部３１は円板状に形成されており、その中央部に、前記定着用アンカー２０の雄ねじ部２２に螺着するための雌ねじ孔３５が貫設されている。この雌ねじ孔３５は前記筒状部３２の軸線と一致する軸線を以て形成されており、その一端は前記筒状部３２の内側空間に連通するように開口され、他端は底板部３１の前記筒状部３２とは反対側の面である底面３６の中央部に開口されている。
【００２６】
図３等に示すように、図示例の基礎用アンカー１０の防水ベース部材４０は、円錐筒状に形成された金属製の一体成形品である。この防水ベース部材４０はスリーブ状に形成された先端部４２の内側に設けられた内ねじ部４３によって筒状胴体部品３０の筒状部３２の外側に螺着可能とされている。以下、前記先端部４２を、螺着筒部とも言う。
この防水ベース部材４０は前記螺着筒部４２と、この螺着筒部４２の軸線方向片端からテーパ状に拡がるテーパ壁部４４とを有して構成されている。前記テーパ壁部４４の外周部が該防水ベース部材４０の外周部３１である。
【００２７】
図１に示すように、ボルト部付きカバー５０は、前記筒状胴体部品３０の前記筒状部３２に螺着するための内ねじ部５３が形成された円筒状側壁部５４の軸線方向片端を天板部５５によって塞いだ有底円筒状の螺着カバー本体５１と、この螺着カバー本体５１の前記天板部５５から前記円筒状側壁部５４とは反対側に突設されたボルト部５２とを具備して構成されている。このボルト部付きカバー５０の円筒状側壁部５４の天板部５５とは反対側の端部は開口部５４ａとされている。
【００２８】
図示例のボルト部付きカバー５０の前記螺着カバー本体５１は金属製の一体成形品であり、前記筒状胴体部品３０の前記筒状部３２に螺着してその開口端を覆うことで、筒状胴体部品３０と螺着カバー本体５１とによって構成される中空構造の基礎部の内側への雨水等の侵入を防ぐ防水性を確保できる。
なお、螺着カバー本体５１は、例えば複数部材によって組み立てたものも採用可能である。但し、防水性が確保されるようにする。
【００２９】
前記ボルト部５２は、具体的には、螺着カバー本体５１の前記天板部５５に固定したボルト５６（頭部付きボルト）のねじ軸部５６ｂを前記天板部５５から突出させた部分である。
前記ボルト５６は、前記ねじ軸部５６ｂの片端に突設されている頭部５６ａを螺着カバー本体５１内側から前記天板部５５に係合するように配置し、前記天板部５５を貫通する雌ねじ孔５５ａにねじ込んだねじ軸部５６ｂの先端側を天板部５５外側へ突出させ、前記天板部５５に締め付け固定している。また、このボルト５６は前記ボルト部５２に螺着して前記天板部５５に当接させて締め付けたナット５７によって前記天板部５５に強固に固定されている。このボルト部付きカバー５０にあっては、ボルト部５２のうち、前記ナット５７から突出された部分を設置物２の取り付けに利用できる。
天板部５５の雌ねじ孔５５ａには防水性が確保されている。また、雌ねじ孔５５ａの防水性の確実な確保のため、必要に応じてシーリング材等を用いても良い。
なお、ボルト部付きカバーとしては、螺着カバー本体とボルト部とが一体の金属製一体成形品も採用可能である。
【００３０】
図１に示すように、この基礎用アンカー１０は、防水ベース部材４０の外周面に、該防水ベース部材４０の下地５に当接された外周部４１の周囲に位置する下地５表面から連続する防水層６（以下、施工部防水層とも言う）を形成することで、防水ベース部材４０の外周部４１とその周囲に位置する断熱防水層４表面（下地５表面）との境界部分の防水性を容易に確保できる。
【００３１】
図１において、前記施工部防水層６は、下地５表面のうちの、防水ベース部材４０の外周部４１の周囲に位置する限定された範囲と防水ベース部材４０の外周面とに形成されているが、但し、この施工部防水層６は、例えば図７に示すように、下地５表面の、防水ベース部材４０の外周部４１から離隔した場所も含む広範囲を覆うように形成しても良い。
【００３２】
前記施工部防水層６としては、例えば塗膜防水層、防水シート等、建築構造物用の防水層として周知のものを採用できる。この施工部防水層６の外周部には必要に応じて防水性確保のための周知の端末処理（例えば、防水テープの貼り合わせ、シーリング材の塗布、押さえ板（円板状、リング板状等、形状に限定は無い）とアンカーピンとを用いた防水シートの機械的固定等）を施す。
【００３３】
また、前記ボルト部付きカバー５０の円筒状側壁部５４の内ねじ部５３は螺着カバー本体５１の円筒状側壁部５４の開口部５４ａから天板部５５側にずれた位置に形成されており、螺着カバー本体５１（具体的には円筒状側壁部５４）は、前記開口部５４ａから前記内ねじ部５３までの部分が前記内ねじ部５３よりも内径を大きく形成され、前記防水ベース部材４０の螺着筒部４２及び該螺着筒部４２の外周面に形成された施工部防水層６を内側に収納して覆うための防水層カバー部５８とされている。このボルト部付きカバー５０は、螺着カバー本体５１を筒状胴体部品３０の外側に螺着してねじ込んで行くことで、螺着カバー本体５１の円筒状側壁部５４における前記防水層カバー部５８の基端部の内周側に形成されている段差面である防水ベース当接面５４ｂが、先行して筒状胴体部品３０に螺着しておいた防水ベース部材４０の螺着筒部４２の端面に当接される。防水ベース当接面５４ｂは、円筒状側壁部５４における防水層カバー部５８とその天板部５５側の該防水層カバー部５８よりも内径が大きい部分との境界に位置する段差面である。円筒状側壁部５４は前記防水ベース当接面５４ｂから開口部５４ａ側の部分全体が前記防水層カバー部５８とされている。
【００３４】
そして、この基礎用アンカー１０は、前記施工部防水層６を防水ベース部材４０の螺着筒部４２の外周面に達するように形成し、筒状胴体部品３０の外側に螺着して前記防水ベース当接面５４ｂを防水ベース部材４０の螺着筒部４２の端面に当接させて締め付け固定したボルト部付きカバー５０の螺着カバー本体５１の円筒状側壁部５４の防水層カバー部５８の内側に前記防水ベース部材４０の螺着筒部４２及び該螺着筒部４２の外周面に形成された施工部防水層６を収納し、防水層カバー部５８によって螺着筒部４２の外周面に形成された施工部防水層６の端部を覆って施工される。
これにより、この基礎用アンカー１０によれば、前記施工部防水層６を防水ベース部材４０の螺着筒部４２の外周面に達するように形成し、筒状胴体部品３０の外側に螺着したボルト部付きカバー５０の螺着カバー本体５１をその内側の前記防水ベース当接面５４ｂを防水ベース部材４０の螺着筒部４２の端面に当接させて締め付け固定するだけで、螺着筒部４２の外周面に形成した施工部防水層６の端部からの浸水を防ぐことができ、また、下地５における基礎用アンカー１０の施工箇所の防水性を短時間で簡単に確保できる。
【００３５】
なお、ボルト部付きカバー５０の螺着カバー本体５１は、螺着カバー本体５１内側の前記防水ベース当接面５４ｂを防水ベース部材４０の螺着筒部４２の端面に当接させたときに、円筒状側壁部５４の前記防水層カバー部５８が防水ベース部材４０の螺着筒部４２外周面の防水層６に接触しないように、前記防水層カバー部５８が螺着筒部４２外周面から離隔して配置されるようになっている。
また、螺着カバー本体５１の前記防水層カバー部５８は、その内側に、防水ベース部材４０の螺着筒部４２及び該螺着筒部４２の外周面に形成された施工部防水層６を収納できるように、その内周側を、円筒状側壁部５４の内ねじ部５３内径よりも大きく拡張した構成であれば良く、必ずしも内ねじ部５３内径よりも大きい内径の前記円筒状側壁部５４の軸線を中心とする同心円状の内周面を有する構成とする必要は無い。
【００３６】
また、図１に示すように、この基礎用アンカー１０は、筒状胴体部品３０の外側に螺着したボルト部付きカバー５０の円筒状側壁部５４を防水ベース部材４０の螺着筒部４２の端面に当接させて締め付け固定したとき、前記円筒状側壁部５４の前記開口部５４ａの周囲の端面に取り付けられた圧縮性のクッションリング５９が、前記防水ベース部材４０のテーパ壁部４４の外周面に形成された防水層６に押し付けられて、前記防水層６と防水層カバー部５８との間を塞ぐようになっている。
これにより、ボルト部付きカバー５０の円筒状側壁部５４の防水層カバー部５８とその内側に収納された防水ベース部材４０外周面の防水層６との間の隙間に、例えば防水ベース部材４０の外周部４１から螺着筒部４２に向かって吹き上がる風によって雨水等が吹き込むことを防止でき、前記隙間の浸水防止に有効に寄与する。
前記クッションリング５９としては、例えば柔軟な樹脂発泡材を好適に用いることができ、特に防水性の点で、独立気泡形の樹脂発泡材を用いることが好ましい。
【００３７】
断熱防水層付きコンクリート躯体（外側層付きコンクリート母材）である下地５にあと施工にて基礎用アンカー１０を固定施工する方法（基礎用アンカーの固定施工方法）の一例を説明する。
まず、図２に示すように、前記断熱防水層４に形成した施工用穴部４ｄからドリル等を用いて前記コンクリートスラブ１に下穴１ｂを穿設した後、定着用アンカー２０の雄ねじ部２２に筒状胴体部品３０及びナット２６を螺着して組み立てた当接部品付きアンカー２０Ａの前記定着用アンカー２０をその先端側から前記下穴１ｂに挿入して筒状胴体部品３０の底板部３１の底面３６をコンクリートスラブ上面１ａに当接させる。そして、定着用アンカー２０のスリーブ状本体２３の内孔２３ａに挿入された芯棒２４の打ち込みによって定着用アンカー２０の拡張部２１を拡張させて当接部品付きアンカー２０Ａをコンクリートスラブ１に固着させる（図２に示す状態）。また、これにより、筒状胴体部品３０をコンクリートスラブ１に対して固定する。
【００３８】
前記定着用アンカー２０として金属拡張アンカー（雄ねじ部２２を有する金属拡張アンカー。図示例では芯棒打ち込み式アンカー）を用いた図示例の基礎用アンカー１０の場合は、図２に示すように、当接部材付きアンカー２０Ａの定着用アンカー２０を、その先端側から、コンクリートスラブ１に穿設した下穴１ｂに挿入し、コンクリートスラブ上面１ａに筒状胴体部品３０の底板部３１の底面３６を当接した状態にて定着用アンカー２０のスリーブ状本体２３の拡張部２１の拡張作業を行う。
芯棒打ち込み式アンカーの場合、この拡張作業は定着用アンカー２０のスリーブ状本体２３の内孔２３ａに挿入された芯棒２４の拡張部２１への打ち込みによって拡張部２１を拡張させる作業である。芯棒２４の打ち込み作業は、例えば筒状胴体部品３０の筒状部３２内側にその開口端側から挿入した打ち込み棒をハンマーで叩打することによって行うことができる。前記拡張部２１の拡張により定着用アンカー２０を固定すると、筒状胴体部品３０がコンクリートスラブ１に対して固定される。
【００３９】
図２に示すように、図示例の定着用アンカー２０はその雄ねじ部２２に螺着されるナット２６を具備しており、前記当接部材付きアンカー２０Ａは定着用アンカー２０の雄ねじ部２２に螺着した筒状胴体部品３０を、前記雄ねじ部２２の筒状胴体部品３０の底板部３１から筒状部３２内側に突出させた部分に螺着したナット２６の締め付けによって定着用アンカー２０にしっかりと固定した構成になっている。
前記当接部材付きアンカー２０Ａは、芯棒２４の打ち込み作業を確実に行うために、図２に示すように定着用アンカー２０の後端部である雄ねじ部２２の端面が、該雄ねじ部２２に螺着されたナット２６の筒状胴体部品３０とは反対側の端面と面一、あるいは該端面から突出された状態に組み立てることが好ましい。
【００４０】
なお、本発明にあっては、前記当接部材付きアンカー２０Ａは、雄ねじ部２２に螺着当接部材６０を螺着しナット２６を螺着していない定着用アンカー２０を前記拡張部２１の拡張によりコンクリートスラブ１に固定した後に、前記雄ねじ部２２の筒状胴体部品３０の底板部３１から突出させた部分に前記ナット２６を螺着して締め付けて組み立てても良い。
【００４１】
また、図２に示すように、図示例の当接部材付きアンカー２０Ａのコンクリートスラブ１に対する固定作業は、下穴１ｂに硬化性の液状の充填材１２を充填した後に定着用アンカー２０を下穴１ｂに挿入し、拡張部２１の拡張による定着固定作業を行う。
ここで用いる充填材１２としては、液状の状態で下穴１ｂに充填されて硬化することで、防水性を発現するとともに、定着用アンカー２０をコンクリートスラブ１に接着固定する接着剤としても機能するものを好適に採用できる。このような充填材１２としては、例えば２液あるいは３液以上を混合してなる反応硬化型の硬化性液状樹脂材料（エポキシ系樹脂、ポリエステル系樹脂等）や、セメント系のもの（主剤がセメント、硬化剤が水あるいは水ガラス）を採用可能である。但し、充填材１２は、コンクリートスラブ及び定着用アンカー２０の材質によって選択されるものであり、母材及び定着用アンカー２０の材質に応じて適宜変更可能である。
【００４２】
接着剤としての機能を有する充填材１２を充填した下穴１ｂに定着用アンカー２０を挿入し、該定着用アンカー２０の拡張部２１を拡張してコンクリートスラブ１に固定する構成であれば、拡張部２１の拡張によってコンクリートスラブ１に対する機械的固着が実現されることで、充填材１２の硬化前であってもコンクリートスラブ１に対する引き抜き強度が確保され、コンクリートスラブ１に対する設置状態も安定するため、その後の工程（筒状胴体部品３０に対する防水ベース部材４０、ボルト部付きカバー５０の螺着）の作業性を良好に確保できる。
また、充填材１２が硬化すれば、拡張部２１の拡張によってコンクリートスラブ１に対する機械的固着力に加えて接着性を有する充填材１２の接着固定力もコンクリートスラブ１に対する定着用アンカー２０の引き抜き強度に寄与するため、より高い引き抜き強度を確保できるようになる。
また、前記充填材１２の防水性によって下穴１ｂの防水性を確保できることも言うまでもない。
【００４３】
前記定着用アンカー２０は、硬化時に防水性及び接着性を発揮する充填材１２を併用してコンクリートスラブ１に固着する構成に限定されず、前記充填材１２を用いることなく、拡張部２１の拡張による機械的固着のみによってコンクリートスラブ１に固定しても良い。
下穴１ｂに充填した充填材１２による定着用アンカー２０の接着固定、下穴１ｂの防水性確保を行う場合は、前記下穴１ｂは非貫通孔（図２等参照）とする。下穴１ｂへの充填材１２の充填を行わない場合は下穴１ｂは非貫通孔、貫通孔のいずれであっても良い。
【００４４】
図２に示すように、この基礎用アンカー１０の前記筒状胴体部品３０はその底板部３１の底面３６の中央部に前記雌ねじ孔３５を拡張した形状の凹所３７を有しており、当接部品付きアンカー２０Ａの定着アンカー２０を充填材１２を充填しておいた前記下穴１ｂへ挿入したとき、前記凹所３７に前記下穴１ｂから溢出した充填材１２が流入、充填可能となっている。前記凹所３７を、以下、充填材収容用凹所とも言う。
【００４５】
下穴１ｂから溢出して前記充填材収容用凹所３７に充填された充填材１２が硬化すれば、拡張部２１の拡張によってコンクリートスラブ１に対する機械的固着力に加えて接着性を有する充填材１２の接着固定力もコンクリートスラブ１に対する基礎用アンカー１０の引き抜き強度に寄与するため、より高い引き抜き強度を確保できる。また、充填材１２によって下穴１ｂのみならず下穴１ｂのコンクリートスラブ上面１ａに開口する開口部付近の防水性も確実に確保できるとともに、筒状胴体部品３０のコンクリートスラブ１に対する定着力が高められ、コンクリートスラブ１に対する当接部品付きアンカー２０Ａ全体の定着力、引き抜き強度を向上できる。
【００４６】
コンクリートスラブ１に対する定着用アンカー２０の固定（当接部品付きアンカー２０Ａの固定）が完了したら、図３に示すように、筒状胴体部品３０の筒状部３２外側に該筒状部３２の開口端側から防水ベース部材４０を螺着してその外周部４１を前記施工用穴部４ｄの開口部の周囲に位置する断熱防水層４表面（下地５表面）に当接させる。
次いで、施工部防水層６を施工した後、筒状胴体部品３０の筒状部３２の開口端側から前記ボルト部付きカバー５０を前記筒状部３２に螺着し、円筒状側壁部５４内側の防水ベース当接面５４ｂを前記防水ベース部材４０の螺着筒部４２端面に当接させて締め付け固定して、下地５表面から防水ベース部材４０の螺着筒部４２外周面まで延在形成された防水層６の端部を円筒状側壁部５４の防水層カバー部５８の内側に収納して覆う。
これにより、基礎用アンカー１０の下地５に対する固定施工が完了する。
【００４７】
図１に示すように、ボルト部付きカバー５０の締め付け固定が完了すると、筒状胴体部品３０とボルト部付きカバー５０の螺着カバー本体５１とによって、中空構造の基礎部１１が構成される。
この基礎部１１は、筒状胴体部品３０の底板部３１とボルト部付きカバー５０の螺着カバー本体５１とによって筒状胴体部品３０の軸線方向両端が塞がった両端有底筒状に構成されるため、高い強度を容易に確保できる。
しかも、この基礎部１１は中空構造であるため、従来のコンクリート製の基礎ブロックに比べて大幅な軽量化を容易に実現でき、しかも、低コスト化も容易に実現できる。
【００４８】
また、この基礎用アンカー１０によれば、ボルト部付きカバー５０のボルト部５２に取り付けられた取付物から作用した剪断方向の荷重（剪断荷重）がボルト部付きカバー５０の螺着カバー本体５１から筒状胴体部品３０に伝達される構成であり、前記剪断荷重により定着用アンカー２０のコンクリートスラブ１から外側に突出した部分（突出部２５）に作用する回転モーメント、すなわち、コンクリートスラブ１に定着させた定着用アンカー２０のコンクリートスラブ１内（下穴１ｂ内）に埋め込まれた部分（埋め込み部）に対して該埋め込み部と前記突出部２５との境界付近を中心とする回転方向に作用する曲げモーメント（曲げ荷重）を筒状胴体部品３０の底板部３１と定着用アンカー２０とが分散負担して抵抗力を発揮するため、高い剪断強度（剪断耐力）が得られる。また、筒状胴体部品３０の底板部３１が、筒状部３２の外側に張り出すフランジ部３４を有する構成であることは、前記曲げモーメントに対する抵抗力の確保、増強に有効に寄与する。
また、定着用アンカー２０がコンクリートスラブ１に定着固定されることで、コンクリートスラブ１に対する引き抜き強度を確保でき、コンクリートスラブ１表面に沿う方向の位置ずれを防止できることも言うまでも無い。
【００４９】
さらに、定着用アンカー２０の雄ねじ部２２の、筒状胴体部品３０の底板部３１から筒状部３２内に突出させた部分に螺着したナット２６を締め付けて前記底板部３１に固定した構成であれば、定着用アンカー２０、基礎用アンカー１０全体の剪断強度（剪断耐力）を一層高めることができる。
ナット２６は省略可能であるが、定着用アンカー２０、基礎用アンカー１０全体の剪断強度（剪断耐力）の向上の点ではナット２６の使用が好ましい。
【００５０】
この基礎用アンカー１０は、当接部品付きアンカー２０Ａの筒状胴体部品３０の筒状部３２に防水ベース部材４０、ボルト部付きカバー５０を螺着するだけで、例えば図７に例示したような設置物２を固定するための基礎部１１を簡単に短時間で組み立てることができる組立式基礎ユニットとして機能する。
【００５１】
図７に例示した設置物２は、太陽光発電パネル、太陽熱温水器等のパネル状の機器本体２ａと、この機器本体２ａの据え付け用の架台２ｂとを具備して構成されているものである。前記機器本体２ａは固定金具等を用いて前記架台２ｂ上に固定されている。
図７では、設置物２は、コンクリートスラブ１（コンクリートスラブ）上に固定施工した基礎用アンカー１０のボルト部５２にナット５０ａを用いて締結固定した支持フレーム３に前記架台２ｂをボルト−ナット締結等によって固定しており、支持フレーム３を介して基礎用アンカー１０に固定され、さらに基礎用アンカー１０を介してコンクリートスラブ１に固定されている。前記架台２ｂは、それぞれ基礎用アンカー１０のボルト部５２に固定された複数の支持フレーム３に固定することで、所望の向きで支持されている。複数の支持フレーム３は、それぞれ複数の基礎用アンカー１０を用いてコンクリートスラブ１に所望の向き（例えばコンクリートスラブ上面１ａに平行）で支持されている。したがって、図７に例示する設置物固定構造は、複数の基礎用アンカー１０によって設置物２をコンクリートスラブ１に固定した構成になっている。
【００５２】
前記支持フレーム３は、基礎用アンカー１０のボルト部５２に取り付ける取付物として機能するが、前記取付物は、この基礎用アンカー１０を利用してコンクリートスラブ１に固定する物品を指すものであり、前記支持フレーム３に限定されるものではない。
例えば、前記設置物２の架台２ｂをボルト部５２に直接固定しても良い。この場合、設置物２自体が取付物として機能する。また、機器本体２ａを取り付けていない架台２ｂを取付物として取り付けても良い。
【００５３】
太陽光発電パネル、太陽熱温水器等の比較的大型のパネル状の機器本体２ａを有する設置物２は強風によってコンクリートスラブ上面１ａに沿う方向の変位力を受けやすい。このため、設置物２の架台２ｂを支持する基礎としては、コンクリートスラブ１に該コンクリートスラブ１に対する変位を規制して設けられた状態にて、その上部に取り付けられる取付物（支持フレーム３等の取り付けベース、設置物２など）から作用する剪断方向（コンクリートスラブ上面１ａに沿う方向）の荷重に対して充分な強度（剪断耐力）を有している必要がある。上述の基礎用アンカー１０であればコンクリートスラブ１に対して固定施工した状態にて高い剪断耐力を確保できるため、太陽光発電パネル、太陽熱温水器等の比較的大型のパネル状の機器本体２ａを有する設置物２の安定支持に好適に用いることができる。
【００５４】
図１に示すように、この基礎用アンカー１０は、筒状胴体部品３０の筒状部３２の外周の外ねじ部３３は筒状部３２の長手方向（軸線方向）の全長にわたって形成されており、筒状部３２の長手方向における外ねじ部３３の形成範囲によって、防水ベース部材４０、ボルト部付きカバー５０の筒状胴体部品３０の筒状部３２に対する螺着位置を調整することができる。このため、例えばコンクリートスラブ１に形成された外側層４の厚みに対応した、防水ベース部材４０、ボルト部付きカバー５０の位置調整を容易に行うことができ、基礎用アンカー１０の施工を実現できる。
なお、基礎用アンカー１０は、コンクリートスラブ１に外側層が設けられた構成の下地に施工する場合、外側層に形成した施工用穴部の穴底に露呈させたコンクリートスラブ１への定着アンカー２０の固着によって前記穴底のコンクリートスラブ上面１ａに立設した筒状胴体部品３０の筒状部３２に、外側層から上方への突出寸法が確保される必要があり、この突出寸法は、外側層上に設けられる防水ベース部材４０、ボルト部付きカバー５０の該筒状部３２への螺着を可能とする長さであることは言うまでも無い。また、この基礎用アンカー１０は、筒状胴体部品３０として、適宜、必要な長さの筒状部３２を有するものを用意して使用することで、外側層の厚み等に対応して施工できる。
【００５５】
また、この基礎用アンカー１０は、図４に例示したようにコンクリートスラブ１上に断熱材層４ａのみからなる外側層が設けられた構成の下地５Ａや、図５のように外側層が設けられておらずコンクリートスラブ１自体が下地である場合であっても、下地に対する施工を行えることは言うまでも無い。
【００５６】
図４の下地５Ａに対する施工は、断熱材層４ａに形成した施工用穴部４ｅの穴底に露呈するコンクリートスラブ１に定着用アンカー２０を固着して当接部材付きアンカー２０Ａの筒状胴体部品３０をコンクリートスラブ上面１ａ上に立設し、この筒状胴体部品３０の筒状部３２の外周に螺着した防水ベース部材４０の外周部４１を断熱材層４ａに当接させる。防水ベース部材４０の外周面には、前記断熱材層４ａ表面（上面）を覆う防水層７を断熱材層４ａ表面から螺着筒部４２外周面まで延在形成する。そして、筒状胴体部品３０の筒状部３２の外周に螺着したボルト部付きカバー５０を締め付けて防水ベース部材４０に固定する。
【００５７】
図５のコンクリートスラブ１上への施工は、コンクリートスラブ１に定着用アンカー２０を固着して当接部材付きアンカー２０Ａの筒状胴体部品３０をコンクリートスラブ上面１ａ上に立設し、この筒状胴体部品３０の筒状部３２の外周に螺着した防水ベース部材４０の外周部４１をコンクリートスラブ上面１ａに当接させる。防水ベース部材４０の外周面には、前記コンクリートスラブ上面１ａを覆う防水層８をコンクリートスラブ上面１ａ表面から螺着筒部４２外周面まで延在形成する。そして、筒状胴体部品３０の筒状部３２の外周に螺着したボルト部付きカバー５０を締め付けて防水ベース部材４０に固定する。
【００５８】
なお、本発明は、上述の構成に限定されず、その主旨を逸脱しない範囲で適宜設計変更可能である。
本発明に係る筒状胴体部品としては、上述の実施形態に例示した金属製一体成形品に限定されず、例えば図６に示すように、前記定着用アンカー２０の雄ねじ部２２に螺着するための雌ねじ孔３５が貫設されたねじ筒３８ａの片端の外周にフランジ部３８ｂが突設されてなるベース部材３８と、このベース部材３８の前記ねじ筒３８ａの外周に形成された外ねじ部３８ｃに螺着して前記ベース部材３８に取り付けられる筒部材３９とからなる構成としても良い。図示例の筒状胴体部品３０Ａの場合、ベース部材３８に筒部材３９を螺着して締め付け固定し一体化することで、ベース部材３８が底板部、筒部材が筒状部として機能する。ベース部材３８のフランジ部３８ｂの筒部材３９から外側に張り出すように突出された部分が筒状胴体部品３０Ａのフランジ部３４として機能する。
【００５９】
本発明に係る基礎用アンカーは軽量であり、しかも施工も簡単であるため、建物屋上のコンクリートスラブ上への固定施工限定されず、例えば建物外壁等への横向き施工やコンクリートスラブ等に対する上向き施工にも適用可能であり、この場合でも良好な施工作業性を確保できる。
【符号の説明】
【００６０】
１…コンクリート母材（コンクリートスラブ）、１ａ…コンクリート母材表面（コンクリートスラブ上面）、１ｂ…下穴、１ｃ…螺着当接部材収納凹所、１ｄ…（螺着当接部材収納凹所の）底面、２…取付物（設置物）、２ａ…機器本体、２ｂ…架台、３…取付物（支持フレーム）、４…外側層（断熱防水層）、４Ａ…断熱防水パネル、４ａ…断熱材層、４ｂ…防水層、４ｄ、４ｅ…施工用穴部、５…下地（外側層付きコンクリート母材、断熱防水層付きコンクリート躯体）、５Ａ…下地、６…施工部防水層、７、８…防水層、
１０…基礎用あと施工アンカー、１１…基礎部、１２…充填材、
２０…定着用アンカー、金属拡張アンカー、２０Ａ…当接部材付きアンカー、２１…定着部（拡張部）、２２…雄ねじ部、２３…スリーブ状本体、２３ａ…内孔、２４…芯棒、２５…突出部、２６…ナット、２７…ワッシャ、
３０、３０Ａ…筒状胴体部品、３１…底板部、３２…筒状部、３３…外ねじ部、３４…フランジ部、３５…雌ねじ部、３６…底面、３７…凹所（充填材収容用凹所）、３８…ベース部材、３８ａ…ねじ筒、３８ｂ…フランジ部、３８ｃ…外ねじ部、３９…筒部材、
４０…防水ベース部材、４１…外周部、４２…先端部（螺着筒部）、４３…内ねじ部、４４…テーパ壁部、
５０…ボルト部付きカバー、５０ａ…ナット、５１…螺着カバー本体、５２…ボルト部、５３…内ねじ部、５４…円筒状側壁部、５４ａ…開口部、５４ｂ…防水ベース当接面、５５…天板部、５５ａ…雌ねじ孔、５６…ボルト（頭部付きボルト）、５６ａ…頭部、５６ｂ…ねじ軸部、５７…ナット、５８…防水層カバー部、５９…クッションリング。
【図１】
2011084913.tif 000003
【図２】
2011084913.tif 000004
【図３】
2011084913.tif 000005
【図４】
2011084913.tif 000006
【図５】
2011084913.tif 000007
【図６】
2011084913.tif 000008
【図７】
2011084913.tif 000009
【図８】
2011084913.tif 000010